(57)【要約】【課題】  踏み板の傾斜を強固に保持できる安全性の高いアキレス腱用ストレッチ器具を提供する。【解決手段】  踵当て１ａを備えた踏み板１と、踵当て１ａが下側となるように踏み板１を所定の傾斜角度に保持する台板２とで構成し、台板２の後部上面に踏み板１ａの後端部を載置する複数の段部２ｃを前後に形成し、各段部２ｃに嵌合穴２ｄをそれぞれ形成し、台板２の前部に踏み板１の前部を下方から所定高さに支持する台座２ａを取り付け、同台座２ａの上端中央部に逆三角形状の掛止部２ｂを突設し、踏み板１の前部に台板２の掛止部２ｂを嵌入する細長の切欠き１ｂを前後方向に沿って形成し、同切欠き１ｂの内壁を下方へ傾斜する形状に形成し、踏み板１の後端部に台板２の嵌合穴２ｄに嵌合する掛止片１ｃを突設した。【選択図】図１
0003132901.tif 000002
【実用新案登録請求の範囲】
【請求項１】
踵当てを備えた踏み板と、踵当てが下側となるように踏み板を所定の傾斜角度に保持する台板とで構成されたアキレス腱用ストレッチ器具において、台板の後部上面に踏み板の後端部を載置する複数の段部を前後に形成し、台板の前部に踏み板の前部を下方から所定高さに支持する台座を取り付け、同台座の上端中央部に掛止部を突設し、同掛止部の上端の幅を基部の幅より広幅に形成し、踏み板の前部に台板の掛止部を嵌入する細長の切欠きを前後方向に沿って形成し、同切欠きの上側の幅を下側の幅より広幅に形成したことを特徴とする、アキレス腱用ストレッチ器具。
【請求項２】
台板の掛止部を逆三角形状に形成し、踏み板の切欠きの内壁を下方へ傾斜する形状に形成した、請求項１記載のアキレス腱用ストレッチ器具。
【請求項３】
踏み板の踵当ての上端部に足裏のつぼを刺激する突起を形成した、請求項１又は２記載のアキレス腱用ストレッチ器具。
【請求項４】
踵当てを備えた踏み板と、踵当てが下側となるように踏み板を所定の傾斜角度に保持する台板とで構成されたアキレス腱用ストレッチ器具において、台板の後部上面に踏み板の後端部を載置する複数の段部を前後に形成し、各段部に嵌合穴をそれぞれ形成し、台板の前部に踏み板の前部を下方から所定高さに支持する台座を取り付け、同台座の上端中央部に掛止部を突設し、同掛止部の上端の幅を基部の幅より広幅に形成し、踏み板の前部に台板の掛止部を嵌入する細長の切欠きを前後方向に沿って形成し、同切欠きの上側の幅を下側の幅より広幅に形成し、踏み板の後端部に台板の嵌合穴に嵌合する掛止片を突設したことを特徴とする、アキレス腱用ストレッチ器具。
【請求項５】
台板の掛止部を逆三角形状に形成し、踏み板の切欠きの内壁を下方へ傾斜する形状に形成した、請求項４記載のアキレス腱用ストレッチ器具。
【請求項６】
踏み板の踵当ての上端部に足裏のつぼを刺激する突起を形成した、請求項４又は５記載のアキレス腱用ストレッチ器具。
【考案の詳細な説明】
【技術分野】
【０００１】
本考案は、アキレス腱の鍛練に用いるストレッチ器具に関する。
【背景技術】
【０００２】
従来のアキレス腱用ストレッチ器具が特許文献１に開示されている。この技術は、踵当てを備えた踏み板と、踵当てが下側となるように踏み板を所定の傾斜角度に保持する台座とで構成され、踏み板の後端と台座の後端とを蝶番で連結し、台座の前部には踏み板を下方から支持して所定の傾斜角度に保持する台座を前後方向へ位置変更可能に備え、踏み板の傾斜角度を容易に調整できるようにしたことを特徴としている。
【０００３】
ところで、前記技術の踏み板は蝶番で台板と連結されているだけであるから、使用時に踵当ての上に乗った場合、その反動で踏み板の前部が上方へ動いて踏み外すことがあり、安全性に満足できるものではなかった。本考案は、前記の技術と同様に使い勝手に優れ、しかも踏み板の傾斜を強固に保持して安全性を高めるように成されたものである。
【特許文献１】実用新案登録第３０４６０５４号公報
【考案の開示】
【考案が解決しようとする課題】
【０００４】
本考案が解決しようとする課題は、従来のこれらの問題点を解消し、踏み板の傾斜を強固に保持できる安全性の高いアキレス腱用ストレッチ器具を提供することにある。
【課題を解決するための手段】
【０００５】
かかる課題を解決した本考案の構成は、
１）  踵当てを備えた踏み板と、踵当てが下側となるように踏み板を所定の傾斜角度に保持する台板とで構成されたアキレス腱用ストレッチ器具において、台板の後部上面に踏み板の後端部を載置する複数の段部を前後に形成し、台板の前部に踏み板の前部を下方から所定高さに支持する台座を取り付け、同台座の上端中央部に掛止部を突設し、同掛止部の上端の幅を基部の幅より広幅に形成し、踏み板の前部に台板の掛止部を嵌入する細長の切欠きを前後方向に沿って形成し、同切欠きの上側の幅を下側の幅より広幅に形成したことを特徴とする、アキレス腱用ストレッチ器具
２）  台板の掛止部を逆三角形状に形成し、踏み板の切欠きの内壁を下方へ傾斜する形状に形成した、前記１）記載のアキレス腱用ストレッチ器具
３）  踏み板の踵当ての上端部に足裏のつぼを刺激する突起を形成した、前記１）又は２）記載のアキレス腱用ストレッチ器具
４）  踵当てを備えた踏み板と、踵当てが下側となるように踏み板を所定の傾斜角度に保持する台板とで構成されたアキレス腱用ストレッチ器具において、台板の後部上面に踏み板の後端部を載置する複数の段部を前後に形成し、各段部に嵌合穴をそれぞれ形成し、台板の前部に踏み板の前部を下方から所定高さに支持する台座を取り付け、同台座の上端中央部に掛止部を突設し、同掛止部の上端の幅を基部の幅より広幅に形成し、踏み板の前部に台板の掛止部を嵌入する細長の切欠きを前後方向に沿って形成し、同切欠きの上側の幅を下側の幅より広幅に形成し、踏み板の後端部に台板の嵌合穴に嵌合する掛止片を突設したことを特徴とする、アキレス腱用ストレッチ器具
５）  台板の掛止部を逆三角形状に形成し、踏み板の切欠きの内壁を下方へ傾斜する形状に形成した、前記４）記載のアキレス腱用ストレッチ器具
６）  踏み板の踵当ての上端部に足裏のつぼを刺激する突起を形成した、前記４）又は５）記載のアキレス腱用ストレッチ器具
にある。
【考案の効果】
【０００６】
本考案では、台板を床面等の水平な面に設置し、踏み板を後方から移行させてその切欠きに台板の掛止部を嵌入し、踏み板の後端部を任意の段部に載置し、踏み板を所定の傾斜角度に保持する。使用者は足を踏み板の上面に載せて踵を踵当てで支持し、直立するとアキレス腱が伸張する。
【０００７】
踏み板はその切欠きを台板の掛止部に嵌入しており、しかも切欠きの上側の幅が下側の幅より広幅で且つ掛止部の上端が基部より広幅であるから、使用時に踵当ての上に乗った場合、その反動で踏み板の前部が上方へ動こうとしても切欠きの部分が掛止部と掛止して動きが規制され、安全性に優れるものとなる。
【考案を実施するための最良の形態】
【０００８】
本考案では、台板の各段部に嵌合穴をそれぞれ形成し、踏み板の後端部に台板の嵌合穴に嵌合する掛止片を突設すると、踏み板の前部に足を載せても後部が上方へ動くことが無く、より安全性が高まる。踏み板の踵当ての上端部には突起を形成し、ストレッチの際に足裏のつぼも刺激できるようにしてもよい。以下、本考案の実施例を図面に基づいて具体的に説明する。
【実施例１】
【０００９】
図１は実施例のストレッチ器具の斜視図、図２は実施例の台板の斜視図、図３は実施例のストレッチ器具の側面図、図４は実施例の踏み板の切欠きと台板の掛止部の掛止を示す説明図、図５は実施例のストレッチ器具の使用状態を示す説明図である。図中、１は踏み板、１ａは踵当て、１ｂは切欠き、１ｃは掛止片、１ｄは突起、２は台板、２ａは台座、２ｂは掛止部、２ｃは段部、２ｄは嵌合穴、２ｅは補強部、３は滑止め材である。
【００１０】
本実施例のストレッチ器具は、図１〜３に示すように、踏み板１の後部に踵を当てる緩やかな凹所を形成した踵当て１ａを取り付け、踵当て１ａの上面に足裏のつぼを刺激する突起１ｄを３箇所形成し、踏み板１の前部に前後方向へ伸びる細長い切欠き１ｂを前端から連通するように形成し、踏み板１の後端部に掛止片１ｃを突設している。
【００１１】
台板２の前部には、踏み板１の前部を下方から所定高さに支持する台座２ａを取り付けて補強部２ｅで支持し、台座２ａの上端中央部に踏み板１の切欠き１ｂに嵌入して掛止する掛止部２ｂを突設し、台板２の後部上面には前方へ向かって３段階に深くなる傾斜面を備えた段部２ｃを前後に形成し、各段部２ｃに踏み板１の掛止片１ｃを嵌合する嵌合穴２ｄをそれぞれ形成し、下面にはコルクシートからなる滑止め材３を四隅に取り付けている。
【００１２】
図４に示すように、踏み板１の切欠き１ｂの上側の幅は下側の幅より広幅となるように内壁を下向きへ傾斜させた形状とし、台板２の掛止部２ｂは基部から上方へ沿って拡幅する逆三角形状に形成し、掛止部２ｂと切欠き１ｂとの間には多少の遊びが形成される寸法としている。滑止め材３以外の構成部材は全て木材で製作されている。
【００１３】
本実施例では、図５（ａ）に示すように台板２を床面等の水平な面に設置し、踏み板１を後方から移行させてその切欠き１ｂに台板２の掛止部２ｂを嵌入し、図５（ｂ）に示すように踏み板１の後端部を下げて任意の段部２ｃに載置し、図５（ｃ）に示すように踏み板１を後方へ移行させてその掛止片１ｃを段部２ｃの嵌合穴２ｄに嵌合し、踏み板１を所定の傾斜角度に保持する。
【００１４】
使用者は足を踏み板１の上面に載せて踵を踵当て１ａで支持し、直立するとアキレス腱が伸張する。アキレス腱の伸張の度合いに応じて踏み板１の傾斜角度を段階的に深くすることで、アキレス腱が徐々に鍛練される。また、踏み板１の突起１ｄに足を載せて体重をかけると、足裏のつぼを刺激できる。
【００１５】
使用時に踵当て１ａの上に乗った場合、その反動で踏み板１の前部が上方へ動こうとするが、切欠き１ｂの部分が掛止部２ｂと掛止して動きが規制され、安全である。また、踏み板１の掛止片１ｃを台板２の嵌合穴２ｄに嵌合しているから、踏み板１の前部に足を載せた場合でも後部が上方へ動くことが無く、より安全性が高い。さらに、突起１ｄで足裏のつぼを刺激する際も、踏み板１の前部は上方へ動くことがないから、安心して体重をかけることができる。
【産業上の利用可能性】
【００１６】
本考案は、アキレス腱の鍛練に利用される。
【図面の簡単な説明】
【００１７】
【図１】実施例のストレッチ器具の斜視図である。
【図２】実施例の台板の斜視図である。
【図３】実施例のストレッチ器具の側面図である。
【図４】実施例の踏み板の切欠きと台板の掛止部の掛止を示す説明図である。
【図５】実施例のストレッチ器具の使用状態を示す説明図である。
【符号の説明】
【００１８】
１  踏み板
１ａ  踵当て
１ｂ  切欠き
１ｃ  掛止片
１ｄ  突起
２  台板
２ａ  台座
２ｂ  掛止部
２ｃ  段部
２ｄ  嵌合穴
２ｅ  補強部
３  滑止め材
【図１】
0003132901.tif 000003
【図２】
0003132901.tif 000004
【図３】
0003132901.tif 000005
【図４】
0003132901.tif 000006
【図５】
0003132901.tif 000007